(57)【要約】      （修正有）【課題】構造が簡単であり組立棚側面パネルの側方の変移を防止できる組立棚連結器を提供する。【解決手段】一端が相互に平行に設置される複数の間仕切り１２により組立棚側面パネル２１の端部をそれぞれ嵌設する複数のスロット１３が形成された組立棚連結器であり、少なくとも１つのスロットの内縁の一側にスロットに連通されると共に内径がスロットより大きい位置決め孔１４が設けられ、大径段２２１及び小径段２２２が交差する組立棚側面パネルの端部において、大径段が位置決め孔に嵌設される。【選択図】図１
0003201135.tif 000002
【実用新案登録請求の範囲】
【請求項１】
一端が相互に平行に設置される複数の間仕切りにより組立棚側面パネルの端部をそれぞれ嵌設させる複数のスロットが形成される組立棚連結器であって、
前記組立棚連結器は少なくとも１つのスロットの内縁の一側にスロットに連通されると共に内径がスロットより大きい位置決め孔が設けられ、大径段及び小径段が交差することで構成される組立棚側面パネルの端部は、大径段が前記位置決め孔に対応して嵌設されることを特徴とする組立棚連結器。
【考案の詳細な説明】
【技術分野】
【０００１】
本考案は、構造が簡単であり、且つ側方の定位効果を提供する組立棚連結器に関する。
【背景技術】
【０００２】
従来の組立棚連結器６１は、一端が相互に平行に設置される複数の間仕切り６２により複数のスロット６３が形成され、且つ各スロット６３には組立棚側面パネル７１の端部７２がそれぞれ挿設され、実際の需要に応じて、各方向スロット６３が応用されて組立棚側面パネル７１に組み合わせられ、組み合わせを変化させて異なる組立棚形態を呈する（図１４及び図１５参照）。
【考案の概要】
【考案が解決しようとする課題】
【０００３】
しかしながら、前述した従来の技術では、従来の組立棚連結器６１のスロット６３の対向し合う２つの内壁は相互に平行して設置され、且つ前記スロット６３の内径は前記組立棚側面パネル７１の端部７２の外径よりやや小さく、前記組立棚側面パネル７１の端部７２が前記スロット６３に対応して挿設されると、緊結方式で相互に連結される。但し、従来の組立棚連結器６１は実際の使用において、緊密に連結される方式では前記組立棚側面パネル７１の側方の有効な定位効果を提供できず、前記組立棚側面パネル７１が側方から力を受けることによってスロットの６３の開口箇所に向けて変移してしまうため、連結後の定位効果は理想的とは言えない。そこで、本考案者は上記の欠点が改善可能と考え、鋭意検討を重ねた結果、合理的設計で上記の課題を効果的に改善する本考案の提案に到った。
【０００４】
本考案は、以上の従来技術の課題を解決する為になされたものである。即ち、本考案の目的は、構造が簡単であり組立棚側面パネルの側方の変移を有効に防止させる効果を有する組立棚連結器を提供する。
【０００５】
また、本考案の他の目的は、異なる部材に連結されることで多機能化の効果を有する組立棚連結器を提供する。
【課題を解決するための手段】
【０００６】
上述した課題を解決し、上記目的を達成するための本考案は、本考案に係る組立棚連結器は、一端は相互に平行に設置される複数の間仕切りにより組立棚側面パネルの端部をそれぞれ嵌設させる複数のスロットが形成され、
前記組立棚連結器は少なくとも１つのスロットの内縁の一側にスロットに連通されると共に内径がスロットより大きい位置決め孔が設けられ、大径段及び小径段が交差することで構成される組立棚側面パネルの端部は、大径段が前記位置決め孔に対応して嵌設されることを特徴とする。
【図面の簡単な説明】
【０００７】
【図１】本考案の第１実施形態に係る組立棚連結器を示す展開図である。
【図２】本考案の第１実施形態の組立後を示す断面概念図である。
【図３】本考案の第１実施形態の縦方向への嵌合を示す断面概念図である。
【図４】本考案の第１実施形態の使用状態を示す概念図で、２個の組立棚側面パネルにより組立棚連結器に対応するスロットに同時に嵌合される際の状態図である。
【図５】本考案の第１実施形態の組立後の棚が内部の対向する二つの側に、それぞれにスライド部材を嵌合する使用状態を示す概念図である。
【図６】本考案の第１実施形態に係る組立棚連結器及びスライド部材の組立を示す概念図である。
【図７】本考案の第２実施形態に係る組立棚連結器の構成を示す概念図である。
【図８】本考案の組立棚連結器が異なる形状に用いられる際の構成を示す概念図である。
【図９】本考案の組立棚連結器が異なる形状に用いられる際の構成を示す概念図である。
【図１０】本考案の組立棚連結器が異なる形状に用いられる際の構成を示す概念図である。
【図１１】本考案の組立棚連結器が異なる形状に用いられる際の構成を示す概念図である。
【図１２】本考案の第３実施形態に係る組立棚連結器の構成を示す概念図である。
【図１３】本考案の第３実施形態に係る組立棚連結器の使用状態を示す概念図である。
【図１４】従来の組立棚連結器を示す展開図である。
【図１５】従来の組立棚連結器を示す外観斜視図である。
【考案を実施するための形態】
【０００８】
以下に図面を参照して、本考案を実施するための形態について、詳細に説明する。なお、本考案は、以下に説明する実施形態に限定されるものではない。
【０００９】
（第１実施形態）
図１は本考案に係る組立棚連結器１１の第１実施形態であり、一端は相互に平行に設置される複数の間仕切り１２により異なる方向に向けて組立棚側面パネル２１の端部２２をそれぞれ嵌設させる複数のスロット１３が形成される。前記組立棚連結器１１の端縁の断面は円形を呈し、且つ各スロット１３の内縁の一側にはスロット１３に連通されると共に内径がスロット１３より大きい位置決め孔１４がそれぞれ設けられ、前記組立棚側面パネル２１の端部２２は大径段２２１及び小径段２２２が交差することで構成される。また、前記大径段２２１の外径は前記位置決め孔１４の内径に対応し、小径段２２２の外径は前記スロット１３の内径に対応し、前記組立棚側面パネル２１及び前記組立棚連結器１１が横方向に連結されると、前記組立棚側面パネル２１の端部２２は大径段２２１が前記位置決め孔１４に対応して嵌設され、小径段２２２が前記スロット１３に対応して設置され、これにより、前記組立棚側面パネル２１及び前記組立棚連結器１１の連結が完成する。
【００１０】
図２に示すように、上述の構造により組立棚連結器１１及び組立棚側面パネル２１が相互に連結された後、前記組立棚側面パネル２１は端部２２の大径段２２１が前記スロット１３の位置決め孔１４に対応して嵌設される。また、前記位置決め孔１４に連通されるスロット１３の内径が前記位置決め孔１４より小さいため、前記組立棚側面パネル２１の端部２２の大径段２２１が前記位置決め孔１４に嵌設されると、大径段２２１の側方がさらに前記スロット１３の内縁により係止され、前記組立棚側面パネル２１が側方に力を加えることで変移して係脱するのを有効に防止させる。
【００１１】
さらに、図３に示すように、本考案に係る組立棚連結器１１の各スロット１３には共に前記位置決め孔１４が設けられる構造により、前記組立棚側面パネル２１が前記組立棚連結器１１の縦方向を呈するスロット１３に縦方向に挿着され、前記組立棚側面パネル２１は同様にその端部２２の大径段２２１の側方が対応するスロット１３の内縁により係止され、同様に側方に変移して係脱するのを防止させる効果を有する。また、これにより、使用者は実際の需要に基づいて各方向スロット１３を応用して組立棚側面パネル２１に組み合わせ、異なる形態の組立棚を組み立てる。
【００１２】
なお、図４に示すように、本実施形態では、前記組立棚側面パネル２１の外周に被覆材２３が被覆され、前記被覆材２３はいずれか一つの周側にストッパー２３１が外に向けて突出され、これにより、２つの組立棚側面パネル２１が前記組立棚連結器１１の対応するスロット１３に同時に挿着されると、前記二組立棚側面パネル２１のストッパー２３１が前記２つの組立棚側面パネル２１の間を遮断させるため、前記２つの組立棚側面パネル２１の間には隙間が発生せず、組み立て後の棚体の防塵効果を有効に高める。
【００１３】
本考案に係る複数の組立棚連結器１１及び複数の組立棚側面パネル２１の組み立て後の棚体は、棚体の内部の対応する二側にスライド部材３１がそれぞれ挿着される（図５及び図６参照）。前記スライド部材３１の一端には断面が凹形状を呈する溝部３２が形成され、他端には前記組立棚連結器１１のスロット１３及び位置決め孔１４に対応して挿着される嵌合部３３が形成される。前記嵌合部３３の形状は前記組立棚連結器１１のスロット１３及び位置決め孔１４の形状に対応し、前記スライド部材３１は嵌合部３３が前記組立棚連結器１１のスロット１３及び位置決め孔１４に挿着され、前記スライド部材３１が前記棚体の内部に向ける対応する二側にそれぞれ固定される。これにより、前記スライド部材３１の溝部３２にフランジ４２を有するケース４１が摺接され、前記スライド部材３１の溝部３２に沿って滑動する引き出し構造が構成される。
【００１４】
（第２実施形態）
本考案の第２実施形態の構成を図７に示す。上述の第１実施形態に係る組立棚連結器との差異は、前記組立棚連結器１１の端縁の断面は方形を呈する点である。同様に、各スロット１３の内縁の一側にはスロット１３に連通されると共に内径がスロット１３より大きい位置決め孔１４がそれぞれ設けられ、大径段２２１及び小径段２２２が交差することで構成される棚側面パネル２１の端部２２は、大径段２２１が前記位置決め孔１４に対応して嵌設され、これにより、同様に側方が係止されて前記組立棚側面パネル２１の側方の変移を防止させる効果を達成させる。このように、本案は前記組立棚連結器１１の外形に制限はなく、前記組立棚連結器１１の端縁の断面は十字形、Ｔ字形、Ｌ字形或いは長形でもよく、異なる装設の需要に応える（図８乃至図１１参照）。これにより、本考案の上述の構造特徴により前記組立棚側面パネル２１の側方の変移の防止効果を達成させることは、本案と同等の効果を有する実施形態に含まれる。
【００１５】
（第３実施形態）
続いて、本考案の第３実施形態の構成を図１２及び図１３に示す。上述の第１実施形態に係る組立棚連結器との差異は、前記組立棚連結器１１には枢着孔１５がさらに設けられ、前記枢着孔１５の一側の周壁は前記枢着孔１５の中心線に沿う直線位置が平らに削られて、前記枢着孔枢着孔１５が半円状を呈する。また、前記枢着孔１５の内径は前記組立棚側面パネル２１の端部２２の大径段２２１の外径に対応し、前記枢着孔１５は前記組立棚側面パネル２１端部２２の大径段２２１に対応して連結され、これにより、前記組立棚側面パネル２１は前記枢着孔１５を軸心として枢動し、開閉動作を行う扉構造を構成させる。
【００１６】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１７】
（従来の技術）
６１組立棚連結器
６２間仕切り
６３スロット
７１組立棚側面パネル
７２端部
（本考案）
１１組立棚連結器
１２間仕切り
１３スロット
１４位置決め孔
１５枢着孔
２１組立棚側面パネル
２２端部
２２１大径段
２２２小径段
２３被覆材
２３１ストッパー
３１スライド部材
３２溝部
３３嵌合部
４１ケース
４２フランジ
【図１】
0003201135.tif 000003
【図２】
0003201135.tif 000004
【図３】
0003201135.tif 000005
【図４】
0003201135.tif 000006
【図５】
0003201135.tif 000007
【図６】
0003201135.tif 000008
【図７】
0003201135.tif 000009
【図８】
0003201135.tif 000010
【図９】
0003201135.tif 000011
【図１０】
0003201135.tif 000012
【図１１】
0003201135.tif 000013
【図１２】
0003201135.tif 000014
【図１３】
0003201135.tif 000015
【図１４】
0003201135.tif 000016
【図１５】
0003201135.tif 000017